【手続補正書】
【提出日】平成16年10月21日(2004.10.21)
【手続補正１】
【補正対象書類名】明細書
【補正対象項目名】全文
【補正方法】変更
【補正の内容】
【書類名】      明細書
【発明の名称】  スロットマシン
【特許請求の範囲】
【請求項１】  正面側に開口する本体キャビネットと、
本体キャビネットの開口部を開閉自在に塞ぐ前扉と、
複数の図柄が表示された複数の図柄表示手段を有するリールユニットとを少なくとも有するスロットマシンにおいて、
前記前扉に前扉係合部を設け、この前扉係合部と係合可能な他の係合部を、前記本体キャビネット側に設けてあるスロットマシンにおいて、
前記前扉の係合部側内側部及び前記本体キャビネットの他の係合部側内側部に前扉開閉調節手段を設け、
この前扉開閉調節手段は、
前記前扉の係合部側内側部又は前記本体キャビネットの他の係合部側内側部のいずれか一方に設けられた受け部と、
前記本体キャビネットの他の係合部側内側部又は前記前扉の係合部側内側部のいずれか一方に設けられ、少なくとも一つ以上の係止部を備え、前記受け部を係止可能な弾力性を有する係止部材とから形成されており、
前記前扉を開閉する途中で少なくとも一回、前扉の開閉位置を保持可能に形成されていることを特徴とするスロットマシン。
【請求項２】  前記本体キャビネットは、正面が奥行き方向上側に傾斜するように形成されており、
前記前扉は、前記傾斜に添って取り付けられていることを特徴とする請求項１記載のスロットマシン。
【請求項３】  前記前扉を本体キャビネットから着脱自在に取り付け、
支持体に少なくとも前記リールユニットを設置した交換ユニットを、前記本体キャビネット内部に着脱自在に形成したことを特徴とする請求項１又は２記載のスロットマシン。
【請求項４】  前記前扉は、
前記本体キャビネットの開口上部を開閉自在に塞ぐ上扉と、
前記本体キャビネットの開口下部を開閉自在に塞ぐ下扉とに分割されていることを特徴とする、請求項１乃至３のいずれか１項に記載のスロットマシン。
【請求項５】  前記他の係合部を前記交換ユニットに設け、
前記上扉を、前記交換ユニットに着脱自在に取り付けたことを特徴とする請求項４記載のスロットマシン。
【請求項６】  前記前扉を開放した際、最も本体キャビネットに近い位置で扉の開閉位置を保持した時の開放角度は、前記下扉の方が、前記上扉よりも大きくなるように形成されていることを特徴とする請求項４又は５記載のスロットマシン。
【請求項７】  前記上扉には、
前記前扉係合部又は他の係合部のいずれか一方に設けられ、前記上扉が開閉する際の回動中心を同軸とし、側面に形成された少なくとも二面以上の平面部を有するピンと、
前記他の係合部又は前扉係合部のいずれか一方に設けられ、前記ピンの平面部に当接し前記ピンを挟持可能な弾力性を有する係止部材とからなり、
前記上扉を開閉する途中で少なくとも一回開閉位置を保持させることが可能な、上扉開閉調節手段を設けたことを特徴とする請求項４乃至６のいずれか１項に記載のスロットマシン。
【発明の詳細な説明】
【０００１】
【発明の属する技術分野】
この発明は、スロットマシン、さらに詳しくは、前扉開閉調節手段を有するスロットマシンに関するものである。
【０００２】
【従来の技術】
従来のスロットマシンにおいては、前扉が段階的に開放されるような構造にはなっていなかった。
【０００３】
【発明が解決しようとする課題】
しかし、近年のスロットマシンの筐体デザインとして、例えば図１に示すように、筐体の側面から見ると、正面側が上方から下方に向かって幅広に形成されていて、前扉もこの傾斜に添って開くようになっているものがある。
このように形成されたスロットマシンにおいては、図柄の視認性が高まる等の利点がある一方、扉が垂直に取り付けられているものと比べ、開扉時の扉の重心が後方に移動しやすいので、扉を開けて作業等する際に、扉が自重で自然に閉まってしまうという問題点があった。
【０００４】
さらに、従来のスロットマシンは、遊技内容を変更するための台交換の際、遊技を担当しないホッパーユニット等も同時に交換されることとなり、交換に要する費用がかかるだけでなく、資源の無駄となっていたという問題点があった。従って、これらの問題を解決可能であり、かつ、設置、交換が容易なスロットマシンが求められている。
【０００５】
そこで、各請求項に記載された発明は、上記した従来の技術の有する問題点に鑑みてなされたものであり、その目的とするところは、以下の点にある。
（請求項１）
すなわち、請求項１記載の発明は、上記した従来の技術の有する問題点に鑑みてなされたものであり、その目的とするところは、前扉を段階的に開閉可能とし、かつ確実に扉開閉時の開閉位置が保持でき、扉を開けて行う作業時に扉が自然に閉じてしまうことがなく、作業性、安全性に優れたスロットマシンを提供しようとするものである。
【０００６】
（請求項２）
請求２記載の発明は、上記した請求項１記載の発明の目的に加え、次の点を目的とする。
すなわち、請求項２記載の発明は、図柄の視認性が高まり、操作部の水平スペースの奥行きを拡大することにより、操作性の向上を図るスロットマシンを提供しようとするものである。
【０００７】
（請求項３）
請求項３記載の発明は、上記した請求項１又は２記載の発明の目的に加え、次の点を目的とする。
すなわち、請求項３記載の発明は、台交換の際、交換不要な部分はそのまま再利用することができ、資源の有効利用を図りつつ、経済性、機能性に優れた分離型スロットマシンを提供することを目的とする。
【０００８】
（請求項４）
請求項４記載の発明は、上記した請求項１乃至３記載の発明の目的に加え、次の点を目的とする。
すなわち、請求項４記載の発明は、開扉状態で作業する場合に、必要最低限の部分のみ開放できるスロットマシンを提供することを目的とし、また、台交換の際、必要最低限の交換ですみ、交換部分をコンパクト化でき、輸送梱包の便に優れた分離型スロットマシンを提供することを目的とする。
【０００９】
（請求項５）
請求項５記載の発明は、上記した請求項４記載の発明の目的に加え、次の点を目的とする。
すなわち、請求項５記載の発明は、交換部分の取り付け取り外しの手間がかからない分離型スロットマシンを提供することを目的とする。
【００１０】
（請求項６）
請求項６記載の発明は、上記した請求項４又は５記載の発明の目的に加え、次の点を目的とする。
すなわち、請求項６記載の発明は、扉の段階的開閉角度を、筐体内部に収納されている部品の性質に応じたものにしようとするものである。
【００１１】
（請求項７）
請求項７記載の発明は、上記した請求項４至６のいずれか１項に記載の発明の目的に加え、次の点を目的とする。
すなわち、請求項７記載の発明は、上扉と下扉とで構成の異なる前扉開閉調節手段を設けることにより、上下扉の各性質に適合した扉の段階的開閉を可能とすることを目的とする。
【００１２】
【課題を解決するための手段】
請求項に記載された発明は、上記した各目的を達成するためになされたものであり、各発明の特徴点を図面に示した発明の実施の形態を用いて、以下に説明する。
なお、かっこ内の符号及び図面番号は、発明の実施の形態において用いた符号及び番号を示し、本発明の技術的範囲を限定するものではない。
【００１３】
（特徴点）
（請求項１）
請求項１記載の発明は、次の点を特徴とする。
すなわち、請求項１記載の発明は、正面側に開口する筺形の本体キャビネット(1)と、本体キャビネット(1)の開口部(11)を開閉自在に塞ぐ前扉と、複数の図柄が表示された複数の図柄表示手段を有するリールユニット(20)とを少なくとも有し、前記前扉(3)に前扉係合部を設け、この前扉係合部と係合可能な他の係合部を、前記本体キャビネット側に設けてあるスロットマシンにおいて、前記前扉(3)の係合部側内側部及び前記本体キャビネット(1)の他の係合部側内側部に前扉開閉調節手段(8)を設けてある。
【００１４】
そして、この前扉開閉調節手段(8)は、前記前扉(3)の係合部側内側部又は前記本体キャビネット(1)の他の係合部側内側部のいずれか一方に設けられた受け部(53)と、前記本体キャビネット(1)の他の係合部側内側部又は前記前扉(3)の係合部側内側部のいずれか一方に設けられ、少なくとも一つ以上の係止部(84,85)を備え、前記受け部(53)を係止可能な弾力性を有する係止部材とから形成されており、前記前扉(3)を開閉する途中で少なくとも一回、前扉(3)の開閉位置を保持可能に形成されていることを特徴とする。
【００１５】
本発明は、前扉(3)が段階的に開閉する機能を有するスロットマシンである。
前記本体キャビネット(1)は、正面側に開口する箱型の筐体であり、内部には、遊技メダルを貯留すると共に払い出すためのホッパーユニット(5)や、スロットマシンに電源を入れるため電源ユニット(4)などが設置されていてもよい。
前記前扉(3)は、係合部(6)（前扉係合部及び他の係合部）を介して本体キャビネット(1)の開口部(11)を開塞自在に取り付けられており、扉を閉めるとスロットマシンの正面構造となるように形成されているものである。すなわち、スロットマシンを操作するための操作部(41)と、払い出されたメダルを貯留しておくためのメダル受け皿(43)が設けられており、この他にも、回転リール(23)を見ることができる図柄表示窓(31)等を設けることができるものである。
【００１６】
ここで、係合部(6)は、例えばヒンジなどであって、「前扉係合部と係合可能な他の係合部」は、本体キャビネット側に設けてあればよく、前扉(3)が本体キャビネット(1)の開口部(11)を閉塞可能であれば、必ずしも本体キャビネット(1)に設けなくともよい。
なお、この前扉(3)は、本体キャビネット(1)に固定されていてもよいし、分離可能に形成されていてもよい。さらにまた、この前扉(3)は、上扉(30)、下扉(40)のように上下に二分割して形成することもできる。
【００１７】
前記リールユニット(20)は、表面に複数の図柄が表示される複数（例えば３個）の図柄表示手段を有している。ここで、図柄表示手段は、駆動モータを備えた回転リール(23)であってもよいし、液晶表示画面に図柄を変動表示若しくは停止表示可能に形成したものであってもよい。従って、リールユニット(20)には、液晶表示装置などの図柄表示手段を搭載したものも含まれる。
【００１８】
前記前扉開閉調節手段(8)は、前記前扉(3)の係合部側内側面及び前記本体キャビネット(1)の他の係合部側内側面に設けられ、前扉(3)を開閉する際に、途中で少なくとも一回、前扉(3)の開閉位置を保持可能に形成されている。
ここで、「前扉(3)の係合部側内側部」とは、前扉(3)の前扉係合部が設けられている側の扉内側であって、例えば前扉(3)の側面の内側面、あるいは側面の背面側とすることができる。また、「本体キャビネット(1)の他の係合部側内側部」とは、本体キャビネット(1)の他の係合部が設けられている側の内側であって、例えば本体キャビネット(1)の側板(16)の内側面とすることができる。
【００１９】
そして、本発明においては、前記前扉開閉調節手段(8)は、前記係合部(6)に設けられていても良いし、係合部(6)以外の部分に設けられていても良い。
前記受け部(53)は、前記前扉(3)の係合部側内側面又は前記本体キャビネット(1)の他の係合部側内側面のいずれか一方に設けられるものであり、例えば前扉(3)の側面内側や、本体キャビネット(1)の係合部側の側板(16)の内側面や、交換ユニット(2)の支持体(21)の係合部側などに設けることができる。
【００２０】
受け部(53)は、具体的には、張り出し片や突起部など、後述する係止部材の係止部(84,85)が係止可能であり、その係止により前扉(3)の開閉位置を保持させることができる形状又は構造であれば、如何なる形状、構造であってもかまわない。
前記係止部材は、少なくとも一つ以上の係止部(84,85)を備え、前記受け部(53)を係止可能な弾力性を有する部材である。そして、前記係止部(84,85)が前記受け部(53)を係止することにより、前扉(3)の開閉位置を保持させることができるように形成されている。具体的には、受け部(53)と当接又は接触可能な係止部(84,85)を有する板バネや鋼線により形成されたバネ部材とすることができる。
【００２１】
そして、前記受け部(53)及び係止部材は、いずれか一方が前記前扉(3)の係合部側内側面に設けられ、もう一方が前記本体キャビネット(1)の他の係合部側内側面に設けられる。
本発明においては、前扉(3)の開閉時、前記係止部材の係止部(84,85)が前記受け部(53)を係止することにより、前扉(3)の回動にブレーキがかかり、開閉途中の前扉(3)の開閉位置を保持させることができるものである。従って、前記係止部材の強度を調整することにより、前扉(3)が自重で閉じない程度の制動力を与えることが可能である。また、前記係止部(84,85)が受け部(53)を係止する時の角度を調整することにより、前扉(3)が開閉途中で開閉位置を保持する場合の扉開放角度を設定することができる。
【００２２】
なお、本発明においては、前扉(3)が上下分割されている場合には、上記構成を有する前扉開閉調節手段(8)を上扉(30)、下扉(40)のそれぞれに設けることもでき、上扉(30)、下扉(40)のいずれか一方に設けることもできる。
ここで、扉の「開閉位置を保持」するとは、扉を開閉する際に、扉がある一定の場所で一時停止することである。
なお、開閉位置の保持は、前扉(3)を全開するまでに少なくとも一回行われるように形成されていればよく、二回、三回と保持可能であっても良い。
本発明によれば、前扉(3)を開く場合には、一定の力で扉を開けたときに、少なくとも一回開閉位置が保持され、さらに開く方向に力を加えれば開扉する。一方、前扉(3)を閉じる場合には、一定の力で扉を閉めたときに、あるいは扉が自重で自然に閉まったときに、少なくとも一回開閉位置が保持され、さらに閉じる方向に力を加えれば閉扉する。
【００２３】
（請求項２）
請求項２記載の発明は、上記した請求項１記載の発明の特徴点に加え、次の点を特徴とする。
すなわち、請求項２記載の発明は、前記本体キャビネット(1)は、正面が奥行き方向上側に傾斜するように形成されており、前記前扉(3)は、前記傾斜に添って取り付けられていることを特徴とする。
【００２４】
本発明は、例えば図１に示すように、本体キャビネット(1)の側板(16)の正面側が下に行くほど幅広になっており、前扉(3)もその傾斜に添って取り付けられているスロットマシンである。
このように形成されたスロットマシンは、前扉(3)が垂直に取り付けられているスロットマシンと比べ、扉開閉時、特に扉を全開するまでの間は、扉の重心が後方にずれているために、前扉(3)が自重で自然に閉まってしまうことが多い。これは、扉を開けての作業がやり難いばかりでなく、重い扉が一気に閉まって怪我をする等、安全上も好ましくない。
【００２５】
従って、前記前扉開閉調節手段(8)を設けることにより、作業がし易く、安全性も優れたスロットマシンを提供することができる。
（請求項３）
請求項３記載の発明は、上記した請求項１又は２記載の発明の特徴点に加え、次の点を特徴とする。
【００２６】
すなわち、請求項３記載の発明は、前記前扉(3)を本体キャビネット(1)から着脱自在に取り付け、支持体(21)に少なくとも前記リールユニット(20)を設置した交換ユニット(2)を、前記本体キャビネット(1)内部に着脱自在に形成したことを特徴とする。
本発明は、前扉(3)及びリールユニット(20)を最低限交換可能に形成した分離型スロットマシンである。
【００２７】
前記交換ユニット(2)は、支持体(21)及びリールユニット(20)とから構成されているが、他の構成部品、例えば、遊技機を制御するための主基板や遊技を制御するための副基板を搭載した基板ユニット(24)が含まれていてもよい。
支持体(21)は、交換ユニット(2)を本体キャビネット内部に固定するためのものである。この支持体(21)は、リールユニット(20)及び主基板等の機器を設置することが可能な強度を有する枠状の構造体であれば良いものであり、具体的には、例えば、図１に示すように、直方体状の枠構造からなる金属枠のようなものを含むものである。そして、支持体(21)の内部には、複数の仕切り等を設けて、基板ユニット(24)等を配置しやすくしても良いものである。支持体(21)は、例えばクリップなどの固定装置(10)により本体キャビネット内部に固定されると共に、固定装置(10)を解除することにより、本体キャビネット(1)から取り出し可能となっている。
【００２８】
本発明においては、前記前扉(3)は、本体キャビネット(1)に着脱自在に形成されている。すなわち、本体キャビネット(1)に、係合部(6)を介して着脱自在に取り付けられており、本体キャビネット(1)から前扉(3)を取り外し、他の前扉(3)を取り付けることが可能である。
本発明によれば、遊技内容を変えたいときには、前扉(3)を開けて交換ユニット(2)を取り外し、新しい交換ユニット(2)を取り付ければ、本体キャビネット(1)をはじめ、遊技内容に直接関係ない部品はそのまま再利用することができる。また、スロットマシンの正面デザインを変えたいときには、前扉(3)を交換すればよい。
【００２９】
（請求項４）
請求項４記載の発明は、上記した請求項１乃至３のいずれか１項に記載の発明の特徴点に加え、次の点を特徴とする。
すなわち、請求項４記載の発明は、前記前扉(3)は、前記本体キャビネット(1)の開口上部(13)を開閉自在に塞ぐ上扉(30)と、前記本体キャビネット(1)の開口下部(14)を開閉自在に塞ぐ下扉(40)とに分割されていることを特徴とする。
【００３０】
本発明は、前扉(3)を上下に二分割しておのおの交換可能に形成したとともに、リールユニット(20)を最低限交換可能に形成した分離型スロットマシンである。
本発明においては、前扉(3)は、上扉(30)、下扉(40)とに分割されている。前記上扉(30)は、図柄表示窓(31)を少なくとも有しており、スロットマシンの正面構造の上側を形成するものである。前記下扉(40)は、操作部(41)及びメダル受け皿(43)を少なくとも有し、スロットマシンの正面構造の下側を形成するものである。
【００３１】
そして、前記上扉(30)、下扉(40)は、それぞれが、本体キャビネット(1)から取り外し可能に形成されている。従って、上扉(30)、下扉(40)を別々に交換することができる。
本発明によれば、遊技内容を変えたいときには、上扉(30)を開けて交換ユニット(2)を取り外し、新しい交換ユニット(2)を取り付ければ、本体キャビネット(1)をはじめ、遊技内容に直接関係ない部品はそのまま再利用することがてきる。また、スロットマシンの正面デザインを変えたいときには、上扉(30)及び下扉(40)を交換すればよい。
【００３２】
なお、本発明においては、前扉開閉調節手段(8)は、上扉(30)、下扉(40)のそれぞれに設けることもでき、上扉(30)、下扉(40)のいずれか一方に設けることもできる。
（請求項５）
請求項５記載の発明は、上記した請求項４記載の発明の特徴点に加え、次の点を特徴とする。
【００３３】
すなわち、請求項５記載の発明は、前記他の係合部を前記交換ユニット(2)に設け、前記上扉(30)を、前記交換ユニット(2)に着脱自在に取り付けたことを特徴とする。
本発明は、上扉(30)と交換ユニット(2)を、係合部(6)を介して着脱自在に形成したものである。
【００３４】
ここで、係合部(6)としては、上扉(30)には「前扉係合部」として上扉係合部(63)を、交換ユニット(2)には「他の係合部」として上部係合部(61)を、それぞれ設けることができ、これらを係合させることにより、交換ユニット(2)に上扉30を開閉可能に支持させることができるものである。
本発明においては、交換ユニット(2)が本体キャビネット(1)の開口上部(13)内に収納固定された状態で上扉30を閉めると、本体キャビネット(1)の開口上部(13)が閉塞されるものである。
【００３５】
なお、下扉40は本体キャビネット(1)に係合部(6)を介して固着されていてもよいし、分離可能に形成されていてもよい。
（請求項６）
請求項６記載の発明は、上記した請求項４又は５記載の発明の特徴点に加え、次の点を特徴とする。
【００３６】
すなわち、請求項６記載の発明は、前記前扉(3)を開放した際、最も本体キャビネットに近い位置で扉の開閉位置を保持した時の開放角度は、前記下扉(40)の方が、前記上扉(30)よりも大きくなるように形成されていることを特徴とする。
本発明は、上扉(30)と下扉(40)とで、前扉開閉調節手段(8)による開閉位置の保持時の扉の開放角度が異なるように形成したものである。従って、前扉開閉調節手段(8)が上扉(30)と下扉(40)との双方に設けられていることが前提である。
【００３７】
ここで、「最も本体キャビネットに近い位置」とは、前扉(3)を全部閉じた状態から徐々に開けていったときに最初に開閉位置が保持される位置、換言すれば、前扉(3)を全開した状態から徐々に閉じていったときに最後に開閉位置が保持される位置のことである。
上扉(30)が閉塞する本体キャビネット(1)の開口上部(13)には、交換ユニット(2)が収納されており、ここには基板等の重要部品が配置されていることが多い。従って、特に、遊技者が居る前で扉を開いて作業をしなければならない場合には、なるべく扉を大きく開けたくない。
【００３８】
一方、下扉(40)が閉塞する本体キャビネット(1)の開口下部(14)には、基板等の重要部品が配置されることは少ない反面、メダル詰まりを解消したり、メダルを補充したりするために扉を開けることが多く、なるべく扉を大きく開放して作業するのが好ましい。
従って、本発明のように、上下扉にそれぞれ適した開放角度を設定することにより、きめ細かい対応が可能となる。
【００３９】
（請求項７）
請求項７記載の発明は、上記した請求項４乃至６のいずれか１項に記載の発明の特徴点に加え、次の点を特徴とする。
すなわち、請求項７記載の発明は、前記上扉(30)には、前記前扉係合部又は他の係合部のいずれか一方に設けられ、前記上扉(30)が開閉する際の回動中心を同軸とし、側面に形成された少なくとも二面以上の平面部(73)を有するピンと、前記他の係合部又は前扉係合部のいずれか一方に設けられ、前記ピンの平面部(73)に当接し前記ピンを挟持可能な弾力性を有する係止部材(74)とからなり、前記上扉(30)を開閉する途中で少なくとも一回開閉位置を保持させることが可能な、上扉開閉調節手段(70)を設けたことを特徴とする。
【００４０】
本発明は、上扉(30)及び下扉(40)の双方に前扉開閉調節手段(8)を設けることを前提として、上扉(30)と下扉(40)の前扉開閉調節手段(8)をそれぞれ構成が異なるようにしたものである。
すなわち、上扉(30)の前扉開閉調節手段(8)（上扉開閉調節手段(70)）は、上記構成とし、下扉(40)の前扉開閉調節手段(8)（下扉開閉調節手段(80)）は、請求項７記載の発明の構成としたものである。
前記ピンは、前記上扉(30)が開閉する際の回動中心と同軸に形成されている。すなわち、上扉(30)の支点に位置し上下方向を軸方向に形成されている。そして、このピンの側面には面取り加工が施されていて、少なくとも二面以上の平面部(73)が形成されている。
【００４１】
ここで、少なくとも二面以上の平面部(73)は、ピンの中心を挟んで相対向する平行面であるのが望ましいが、これには限られない。例えばピンの断面形状が三角形になるように形成したものでもよい。
前記係止部材(74)は、前記ピンの平面部(73)に当接すると共に、前記ピンを挟持可能な弾力性を有する部材である。すなわち、係止部材(74)は、平面部(73)に接触した状態で前記ピンを挟持でき、かつ、前記ピンの平面部(73)以外の部分に接触した状態でも前記ピンを挟持できるものである。具体的には、前記ピンを側面側から挟持可能な板バネや、ねじりコイルバネとすることができる。
【００４２】
そして、前記ピン及び前記係止部材(74)は、いずれか一方が前記前扉係合部に設けられ、もう一方が他の係合部に設けられる。
本発明においては、上扉(30)の開閉時、前記係止部材(74)が前記ピンの平面部(73)に当接する摩擦抵抗により、上扉(30)の回動にブレーキがかかり、開閉途中の上扉(30)の開閉位置を保持させることができるものである。従って、前記係止部材(74)の挟持力及び前記ピンの平面部(73)の面積を調整することにより、上扉(30)が自重で閉じない程度の制動力を与えることが可能である。また、平面部(73)の数や複数の平面部(73)の形成する角度により、上扉(30)が開閉途中で開閉位置を保持する場合の扉開放角度を設定することができる。
【００４３】
ところで、上記構成による上扉開閉調節手段(70)は、扉の支点付近に設けられるものであり、かつ、ピンを係止部材(74)で挟持するものであるため、摩擦抵抗により扉の回動に対する制動力を強力にしようとしても限度がある。これに対して、請求項７記載の発明は、扉の支点付近に設けられているものの、前記上扉開閉調節手段(70)に比べれば、扉の開閉に伴い部材同士が隔離する距離が大きく、強度のある係止部材を用いることにより、扉の回動に対する制動力の強化を図ることが可能である。
【００４４】
一方、上扉(30)と下扉(40)を比較すると、スロットマシンの構造上、操作部(41)やメダルセレクター(48)が設けられる可能性の高い下扉(40)の方が重量も重く、開閉時に扉の開閉位置を保持させるためには強力な制動力が必要である。
本発明によれば、上扉(30)と下扉(40)で前扉開閉調節手段(8)の構成を異なるものとすることにより、それぞれの扉の性質に応じた開閉位置保持機能を持たせることが可能となる。
【００４５】
【発明の実施の形態】
本発明の実施の形態を図面に基づき説明する。
（図面の説明）
図１乃至図１１は、本発明の実施の形態を示すものである。
図１は分離型スロットマシンＳを示す分解斜視図、図２は分離型スロットマシンの開扉状態を示す斜視図、図３は上扉係合部の拡大斜視図、図４乃至図６は上扉の開閉動作を示す横断面図、図７は上扉開閉調節手段の平面図である。図８は下扉係合部の拡大斜視図、図９乃至図１１は下扉の開閉動作を示す横断面図である。
【００４６】
本実施の形態における分離型スロットマシンＳは、図１に示すように、大きく分けて、正面側に開口部11を有する本体キャビネット１、本体キャビネット１内部に着脱自在に設けられる交換ユニット２、本体キャビネット１の開口部11を開閉可能に塞ぐ前扉３とから構成されており、さらにこの前扉３は、本体キャビネット１の開口上部13を開閉可能に塞ぐ上扉30、本体キャビネット１の開口下部14を開閉可能に塞ぐ上扉30とから構成されている。
【００４７】
（本体キャビネット１）
本体キャビネット１は、底板15及び側板16及び天板及び裏板からなる正面側に開口する筺体であり、高さ方向略中央部には、二つの側板16の間に水平方向に中板12が設けられている。そして、この中板12の下面には電源ユニット４が設けられ、底板15にはホッパーユニット５が固定されている。
【００４８】
ここで、電源ユニット４は、中板12の下面に、取り付け板等を介して取り付けられており、特に図示しないが電源装置が内装されていると共に、遊技店側が種々の設定を行うためのスイッチ等、店操作部100を有している。
上記電源ユニット４及びホッパーユニット５は、交換ユニット２の交換に際し、必ずしも交換する必要のないものであり、交換時には設置されたままにしておけるようになっているものである。
【００４９】
上記側板16の正面左側には、前記前扉を係合させ、回転自在に支持するための本体係合部60（係合部６）が設けられている。この本体係合部60は、前記上扉30を係合させ、回転自在に支持するための上部係合部61と、前記下扉40を係合させ、回転自在に支持するための下部係合部62とから構成されており、これらは側板16の正面左側に、上下方向に間隔を置いてそれぞれ二つづつ設けられている。
【００５０】
また、側板16の正面側は、図１及び図２に示すように、上方から下方に行くに従って幅広となるよう形成されていて、本体キャビネット１の正面が若干上向きに傾斜するような形となっている。
ところで、前記上部係合部61には、上扉30の開閉を段階的に行わせるための上扉開閉調節手段70（前扉開閉調節手段８）が、また前記側板16の内側であって二つの上部係合部61の中間位置には、下扉40の開閉を段階的に行わせるための下扉開閉調節手段80（前扉開閉調節手段８）が、それぞれ設けられているが、これについては後述する。
【００５１】
（交換ユニット２）
交換ユニット２は、種々の部品を設置あるいは固定するための支持体21と、この支持体21に固定されたリールユニット20及び基板ユニット24とから形成されている。
ここで、リールユニット20は、周囲に複数の図柄を表示した複数の回転リール23と、特に図示しないが、回転リール23を回転させるための駆動モータを有している。また、前記基板ユニット24には、遊技及びスロットマシンの作動を制御するための主基板と、各種演出を行うための副基板が含まれている。
【００５２】
交換ユニット２は、本体キャビネット１の中板12の上に乗せ、開口上部13内部に収納されるものである。そして、固定装置10により本体キャビネット１に固着される。
（上扉30）
上扉30は、本体キャビネット１の側板16に回転自在かつロック可能に形成されている板状の扉であり、略中央部に前記回転リール23の図柄を正面側から見ることができる図柄表示窓31を有し、周囲に飾り部33を設けてある。そして、種々の表示を行うための表示部32が設けられているものである。
【００５３】
ここで、前記飾り部33は、ランプ等により形成しても良く、入賞の報知その他の演出時にランプが点滅するようにしてもよい。また、前記表示部32は、７セグメントＬＥＤ等により数字を表示するものや、特に図示しないが、画像を表示するための液晶画面あるいはＣＲＴなどとしてもよい。
さらに、図２に示すように、上扉30の裏面には、前記上部係合部61に係合可能な上扉係合部63が上下方向に間隔をおいて二つ設けられており、上扉係合部63の対向側には、ロック機構７が設けられている。
【００５４】
このロック機構７は、上扉側に設けられた係止片が、特に図示しないが、本体キャビネット１の側板16の内側面に設けられた凸部に係止され、扉を閉めると自動的にロックされ、解錠手段によりロックが解除さるように形成されている。
そして、前記上扉係合部63には、上扉30の開閉を段階的に行わせるための上扉開閉調節手段70が設けられているが、これについては後述する。
【００５５】
以上のように構成された上扉30は、前記交換ユニット２を本体キャビネット１に固着した状態で、扉を閉めロックすることにより、本体キャビネット１の開口上部13を密閉することができるものである。
なお、本実施の形態では、上扉30は、本体キャビネット１の側板16に取り付ける構成としたが、交換ユニット２の支持体21に取り付けるようにしてもよい。この場合は、支持体21に上部係合部61を設け、上扉係合部63を係合させるようにする。このように形成すると、上扉30と交換ユニット２とを同時に交換することができる。
【００５６】
（下扉40）
下扉40は、本体キャビネット１の開口下部14を塞ぐための、上扉30よりも幅厚の扉であり、本体キャビネット１の側板16に回転自在かつロック可能に形成されているものである。
下扉40の上部は、スロットマシンを作動させるための操作部41となっており、下扉40の上面は、閉扉時においては、上扉30よりも前側に突出するようになっている。また、下部には払い出されたメダルを溜めておくためのメダル受け皿43が形成されており、前記操作部41とメダル受け皿43との間には、遊技内容その他の表示をするための表示パネルが取り付けられている。
【００５７】
前記操作部41としては、下扉40の上面右端にはメダル投入口42及び上面左側に設けられたベットスイッチ、正面側にはスタートスイッチ及びストップスイッチ及び鍵穴44が設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉３を解錠するためのものであり、この穴に所定の鍵を差し込んで回すと、下扉40のロックが解除されるものである。そして、下扉40が解錠されることにより、上扉30も解放可能に形成されている。
【００５８】
さらに、図２に示すように、下扉40の裏面側には、前記メダル投入口42から投入されたメダルを誘導しながらメダルの正偽を判断するためのメダルセレクター48が設けられている。そして、下扉40の裏面下部の左右には、種々の音声を出力するためのスピーカ49が設けられている。
また、下扉40の裏面には、前記下部係合部62と係合可能な下扉係合部64が上下方向に間隔をおいて二つ設けられており、下扉係合部64の対向側には、ロック機構７が設けられている。ロック機構７の構成は、上扉30のものとほぼ同様である。
【００５９】
そして、前記下扉40の縦枠内側面であって、二つの下扉係合部64の中間位置には、下扉40の開閉を段階的に行わせるための下扉開閉調節手段80が設けられているが、これについては後述する。
（前扉開閉調節手段８）
前扉開閉調節手段８は、前扉３を開閉するとき途中で開閉位置を保持可能とし、前扉３を開いたままにしておいても、扉が自重で閉じてしまわないようにするためのものである。そして、本実施の形態においては、前扉開閉調節手段８として、上扉30と本体ユニット１との間に設けられた上扉開閉調節手段70と下扉40と本体ユニット１との間に設けられた下扉開閉調節手段80を有している。
【００６０】
（上扉開閉調節手段70）
上扉開閉調節手段70は、図３に示すように、本体キャビネット１の上部係合部61に設けられた本体側開閉調節手段71と、上扉30の上扉係合部63に設けられた扉側開閉調節手段72とからなる。
ここで、上部係合部61は、図３に示すように、本体キャビネット１の側板16の内側面に取り付けられた係合部取り付け部材55から正面側に突出する張り出し部65と、この張り出し部65の先端に設けられた係合ピン67とからなり、上下方向に一定の間隔を置いて並設されている（図１又は２参照）。
【００６１】
そして、前記係合ピン67には、面取り加工が施してあり、係合ピン67の外周は平面部73が形成されている。平面部73は、図４乃至図７に示すように、二面が相対向する垂直面を４組形成しており、係合ピン67の断面は正八角形状となっている。また、この平面部73は、正面側に一の平面が向くように、すなわち、上面から見ると図７（Ａ）に示すように形成されている。そして、この平面部73を有する係合ピン67が、本体側開閉調節手段71となっている。
【００６２】
一方、上扉係合部63は、上扉30の内側面に取り付けられた係合部取り付け部材50から水平方向に突出する板状の張り出し部66と、この張り出し部66に設けられた係合ピン67を挿入可能なピン穴68とからなり、前記上部係合部61に対応するように設けられている。
この上扉係合部63は、ピン穴68に向かって前記係合ピン67を下方向から挿入すると、板状の張り出し部66が係合ピン67の段差部分に引っかかり、上部係合部61と回転自在に係合されるものである。
【００６３】
なお、前記係合部取り付け部材50に設けられた孔51は、係合ピン67をピン穴68に係合させる際に、張り出し部65及び係合ピン67を貫通させるためのものである。
そして、前記板状の張り出し部66の上面には、係止部材74が取り付けられている。係止部材74は、前記ピン穴68の上部に位置する相対向する二枚の板であり、この二枚の板はピン穴68の中心方向に向かって付勢されたバネ部材となっている。すなわち、図７（Ａ）に示すように、係合ピン67の相対向する平面部を両側から挟持可能に形成されており、さらに、図７（Ｂ）に示すように係合ピン67の八角形の対角線も両側から挟持可能となっているものである。そして、この係止部材74と、係合ピン67がその内部で回転可能なピン穴68が、扉側開閉調節手段72となっている。
【００６４】
なお、本実施の形態においては、上部係合部61を張り出し部65及び係合ピン67とし、上扉係合部63を張り出し部66及びピン穴68としたが、この逆であってもよい。この場合には、本体側開閉調節手段71と扉側開閉調節手段72も、上述したものと逆になる。
（下扉開閉調節手段80）
下扉開閉調節手段80は、図２及び図８に示すように、本体キャビネット１にある二つの下部係合部62の中間位置に設けられた本体側開閉調節手段81と、下扉40にある二つの下扉係合部64の中間位置に設けられた扉側開閉調節手段82とからなる。
【００６５】
ここで、下部係合部62は、上部係合部61の構成と基本的には同様であるが、ピン67に平面部73は設けられていない。また、下扉係合部64は、上扉係合部63の構成と基本的には同様であるが、係止部材74は設けられていない。
前記本体側開閉調節手段81は、図８に示すように、本体キャビネット１の側板16の内側面に取り付けられた係合部取り付け部材55から正面側に突出する張り出し部83を有する板部材であり、扉を開く方向、すなわち、図８における左側方向に向かって付勢されている板バネとなっている。
【００６６】
前記本体側開閉調節手段81は、前記張り出し部83の先端に設けられた第二係止部85と、張り出し部83と第二係止部85との間であって若干第二係止部85寄りに設けられた、第一係止部84を有している。第一係止部84は、本体側開閉調節手段81の側板16側に上下方向にわたって設けられた突条部の手前側の面である。そして、第一係止部84は、平面から見ると、張り出し部83に対して略３０度の角度で傾斜するように形成されている。また、第二係止部85は、張り出し部83の先端に上下方向にわたって設けられた突条部の頂部である。
【００６７】
なお、本体側開閉調節手段81は、必ずしも係合部取り付け部材55に設ける必要はなく、本体キャビネット１の側板16の内側面に取り付けてもかまわない。また、前記本体側開閉調節手段81は板バネに限られず、例えば鋼線により形成されたバネ部材でもよい。
一方、扉側開閉調節手段82は、図２及び図８に示すように、下扉40の内側面に取り付けられた係合部取り付け部材50に設けられた受け部53及び受け部53の側端部54である。受け部53は、下扉40の背面側に位置し、下扉40の閉扉時に本体キャビネット１の正面と平行となるように、前記本体側開閉調節手段81の張り出し部83に対しては垂直になるように形成された張り出し片である（図９参照）。また、側端部54は、前記受け部53の内側（図９における右側）の辺であり、本実施の形態においては、係合部取り付け部材50の角部にスリット52を設けて形成されている。スリット52は、閉扉時に前記本体側開閉調節手段81が貫通可能な位置に設けられているものであるが、これは、受け部53の側端に係合部取り付け部材50の強度保持のための折れ曲がり片が形成されているために、これを避けて本体側開閉調節手段81が扉側開閉調節手段82と係合可能とするためのものである。
【００６８】
なお、扉側開閉調節手段82は、必ずしも係合部取り付け部材50と併用する必要はなく、下扉40の内側面に、係合部取り付け部材50とは別個に設けても良い。
また、本実施の形態では、本体側開閉調節手段81として板バネ、扉側開閉調節手段82として受け部53を設けてあるが、本体側に受け部を設け、扉側に板バネを設けてもよい。
【００６９】
さらに、本実施の形態では、下扉開閉調節手段80は係合部６の中間に一つ設けてあるが、設置場所はこの位置に限られない。また、複数個設けてもよい。
（前扉３の開閉）
次に、上記構成を有する前扉開閉調節手段８の作用を説明する。
（上扉30の開閉）
まず、上扉開閉調節手段70による上扉30の開閉について、図４乃至図７に基づき説明する。
【００７０】
(1) 図４は、閉扉時の上扉開閉調節手段70の平面断面図である。閉扉時においては、本体側開閉調節手段71と扉側開閉調節手段72は、図７（Ａ）に示すようになっている。すなわち、扉側開閉調節手段72の係止部材74が、係合ピン67の相対向する平面部73を挟持しているものである。このとき、係止部材74と係合ピン67は、面同士で接触しているので摩擦力が大きく、ある程度の力を加えないとピン孔68内を係合ピン67が回転しない。なお、この摩擦力は、図７（Ａ）の状態で、上扉30が扉の自重で自然に開いてしまわない程度とし、これは係合ピン67の直径又は係止部材74のバネ力を調整することにより設定可能である。
【００７１】
(2) 次に、上扉30を少し開くと、本体側開閉調節手段71と扉側開閉調節手段72は、図７（Ｂ）に示すようになる。すなわち、上扉係合部61が係合ピン67を中心に回転し、係止部材74が係合ピン67の相対向する八角形の頂角を挟持する。このとき、係止部材74は係合ピン67により押し開かれた形になっている。また、係止部材74と係合ピン67は、面と辺との接触となっているので摩擦力が小さく、小さな力でピン孔68内を係合ピン67が回転する。
【００７２】
(3) 上記(2)の状態からさらに上扉30を開くと、図５に示すような状態となる。このとき、本体側開閉調節手段71と扉側開閉調節手段72との関係は、図７（Ａ）に示すようになり、ある程度の力を加えないとピン孔68内を係合ピン67が回転しないようになる。すなわち、前記(2)の状態では、上扉30の自重で扉が自然に開いてしまう場合もあるが、図５の状態では、ある程度の力を加えないと扉はそれ以上開かない。従って、上扉30が開放途中で開閉位置が保持された状態となる。
【００７３】
さらに、図５に示す状態では、上扉30は、本体キャビネット１の正面に対する扉の回転角度（以下扉開放角度という）が４５度のところで開閉位置が保持されている。これは、係合ピン67の平面部73が正八角形を形成しているからであり、かつ正面側に平面部73の一の面が正面側に向くように形成されているからである。
【００７４】
このように、上扉開閉調節手段70は、扉を開いていって最初に開閉位置が保持される角度が４５度となるように形成されているものである。
なお開閉位置の保持時の扉開放角度を４５度以外にしたい場合には、平面部73の面取り角度を変更すればよい。例えば、平面部73を正六角形に形成すれば、開閉位置が保持される時の扉開放角度は６０度になる。
【００７５】
(4) 上記(3)の状態からさらに開扉方向に力を加え、上扉30を開いていくと、上扉30は図６に示すような状態で開閉位置が保持される。すなわち、扉開放角度は９０度になる。
なお、扉を閉める場合にも、上述と同様に、扉開放角度が４５度のところで開閉位置が保持され、さらに力を加えると扉が閉じるようになっている。従って、扉を閉じるときも一気に閉まることがないので、扉に挟まれるなどの閉扉時のトラブルもおきにくい。
【００７６】
このように、上扉30は、開閉時に開閉位置を保持可能であるため、例えば遊技中に上扉30を開けて作業をしたい場合など、扉を全開しなくても扉が自重で閉まってしまうことがない。また、４５度の角度で開閉位置を保持するため、基板など遊技者に見せたくない部分は隠したまま作業を行うことができる。
（下扉40の開閉）
次に、下扉開閉調節手段80による下扉40の開閉について、図９乃至図１１に基づき説明する。
【００７７】
(1) 図９は、閉扉時の下扉開閉調節手段80の平面断面図である。閉扉時においては、本体側開閉調節手段81と扉側開閉調節手段82は、図９に示すように係合する。すなわち、スリット52に、前記本体側開閉調節手段81が貫通し、張り出し部83の外側（図９における左側）の面が、受け部53の側端部54に当設している。このとき、本体側開閉調節手段81は扉を開く方向に向かって付勢されているので、張り出し部83の外側面は、側端部54に押しつけられるようになっている。
【００７８】
なお、本体側開閉調節手段81のバネ力は、下扉40が自重で閉じてしまうのをおさえられる程度に設定しておく。
(2) 次に、下扉40を少し開くと、本体側開閉調節手段81と扉側開閉調節手段82は、図９に二点鎖線で示すようになる。すなわち、下扉40が下扉係合部62の係合ピン67を中心に回転し、本体側開閉調節手段81は、張り出し部83の外側面が扉側開閉調節手段82の受け部53の側端部54に押されて、内側（図９における右側）にたわんだ形となる。このとき、本体側開閉調節手段81はバネ力により復元しようとするので、側端部54には、外側すなわち扉を開く方向に力が加わる。
【００７９】
(3) さらに下扉40を少し開くと、図１０に示すような状態となる。すなわち、本体側開閉調節手段81の第一係止部84と、扉側開閉調節手段82の受け部53とが当接し、下扉40が係合ピン67を中心に開扉方向（図１０における右回り方向）に回転しないように係止している。このとき、第一係止部84と受け部53とは面同士で接触しているので摩擦力が大きく、ある程度の力を加えないと下扉40は係合ピン67を中心に開扉方向に回動しない。従って、下扉40が開放途中で開閉位置が保持された状態となる。
【００８０】
さらに、図１０に示す状態では、下扉40は、扉開放角度が略６０度のところで開閉位置が保持されている。これは、前記第一係止部84が、張り出し部83に対して略３０度の角度で傾斜するように形成されているので、本体キャビネット１の正面に対しては略６０度の角度になっており、第一係止部84と、下扉40の側面と直交するように設けられた受け部53とが当接した状態では、下扉40の扉開放角度が略６０度となるものである。
【００８１】
このように、下扉開閉調節手段80は、扉を開いていって最初に開閉位置が保持されるる角度が６０度となるように形成されているものである。
なお開閉位置の保持時の扉開放角度を６０度以外にしたい場合には、第一係止部84の傾斜角度を変更すればよい。例えば、第一係止部84を、張り出し部83に対して略４５度の角度で傾斜するようにに形成すれば、開閉位置の保持時の扉開放角度は略４５度になる。
【００８２】
(4) 上記(3)の状態からさらに開扉方向に力を加え、下扉40を開いていくと、下扉40は図１０に二点鎖線で示すようになる。すなわち、本体側開閉調節手段81の第二係止部85が、スリット52を通過して、受け部53に当接する。このとき、第二係止部85は、受け部53に押されて、内側（図１０における右側）にたわんだ形となる。そうすると、本体側開閉調節手段81はバネ力により復元しようとするので、受け部53には、第二係止部85に押されて、外側すなわち扉を開く方向に力が加わる。
【００８３】
(5) 上記(4)の状態からさらに開扉方向に力を加え、下扉40を開いていくと、下扉40は図１１に示すような状態で開閉位置が保持される。すなわち、本体側開閉調節手段81の第二係止部85と、扉側開閉調節手段82の受け部53とが当接し、下扉40が係合ピン67を中心に閉扉方向（図１１における左回り方向）に回転しないように係止している。このとき、下扉40の扉開放角度は９０度となっている。
【００８４】
なお、扉を閉める場合には、図１１の状態から閉扉方向（図上左回り方向）にある程度の力を加えれば、第二係止部85が再びスリット52に嵌入し、図１０に示した段階を経て、扉が閉まる。この場合も、扉開放角度が略６０度のところで開閉位置が保持され、さらに力を加えると扉が閉じるものである。従って、扉を閉じるときも一気に閉まることがないので、扉に挟まれるなどの閉扉時のトラブルもおきにくい。
【００８５】
このように、下扉40は、開閉時に開閉位置を保持可能であるため、例えば遊技中に下扉40を開けて作業をしたい場合など、扉を全開しなくても扉が自重で閉まってしまうことがない。なお、下扉40について、開閉位置の保持時の扉開放角度を、上扉30よりも大きい略６０度としたのは、本体キャビネット１の下扉40側には、基板等の重要部品は配置されていない一方、メダルの補給などの扉を広く開けて行う作業をする頻度が高いからであり、これらの作業を容易に行えるようにするためである。
【００８６】
以上のように、本発明によれば、特に、本体キャビネット１の正面が斜めに形成されていて、前扉３の回動軸が地面に対して垂直に形成されていないスロットマシンにおいては、前扉３が自重で閉じてしまうのを防止することができ、開扉時の作業をし易くできるものである。また、前扉３の回動軸が地面に対して垂直に形成されているスロットマシンであっても、扉を閉めるとき、段階的に閉じることができるので、重い扉が一気に閉まって手などを挟まれたりする危険を防止することができる。
【００８７】
ところで、上扉開閉調節手段70は、扉の支点付近に設けられるものであり、かつ、係合ピン67を係止部材74で挟持するものであるため、摩擦抵抗により扉の回動に対する制動力を強力にしようとしても限度がある。これに対して、下扉開閉調節手段80は、扉の支点付近に設けられているものの、前記上扉開閉調節手段70に比べれば、扉の開閉に伴い部材同士が隔離する距離が大きく、強度のある係止部材を用いることにより、扉の回動に対する制動力の強化を図ることが可能である。
【００８８】
一方、上扉30と下扉40を比較すると、操作部41やメダルセレクター48等が設けられている下扉40の方が重量も重く、開閉時に扉の開閉位置を保持されるためには強力な制動力が必要である。
本実施の形態によれば、下扉40に上扉30よりも扉の回動に対する制動力を大きくすることが可能な前扉開閉調節手段8を用いることにより、それぞれの扉の性質に応じた開閉位置保持機能を持たせることが可能となる。
【００８９】
なお、本実施の形態においては、上扉30と下扉40の前扉開閉調節手段８との構成を異なるものとしているが、同じ構成のものであってもよい。例えば、下扉40にも、上扉開閉調節手段70と同様の構成を有する前扉開閉調節手段８を設けても良い。そして、この場合には、下扉40の開閉位置保持角度が略６０度になるように、係合係合ピン67に面取りを施すようにすればよい。
【００９０】
また、本発明は、分離型スロットマシンに限らず、分離型でないスロットマシンにも使用でき、前扉３が上下分割されていない場合にも使用できるものである。
【００９１】
【発明の効果】
本発明は、以上のように構成されているので、以下に記載されるような効果を奏する。
（請求項１）
すなわち、請求項１記載の発明によれば、前扉を段階的に開閉可能とし、かつ確実に扉開閉時の開閉位置の保持ができ、扉を開けて行う作業時に扉が自然に閉じてしまうことがなく、作業性、安全性に優れたスロットマシンを提供することができる。
【００９２】
（請求項２）
請求項２記載の発明によれば、上記した請求項１記載の発明の効果に加え、次のような効果を奏する。
すなわち、請求項２記載の発明によれば、図柄の視認性が高まり、操作部の水平スペースの奥行きを拡大することにより、操作性の向上を図るスロットマシンを提供することができる。
【００９３】
（請求項３）
請求項３記載の発明によれば、上記した請求項１又は２記載の発明の効果に加え、次のような効果を奏する。
すなわち、請求項３記載の発明によれば、台交換の際、交換不要な部分はそのまま再利用することができ、資源の有効利用を図りつつ、経済性、機能性に優れた分離型スロットマシンを提供することができる。
【００９４】
（請求項４）
請求項４記載の発明によれば、上記した請求項１乃至３のいずれか１項に記載の発明の効果に加え、次のような効果を奏する。
すなわち、請求項４記載の発明によれば、開扉状態で作業する場合に、必要最低限の部分のみ開放できるスロットマシンを提供することができ、また、台交換の際、必要最低限の交換ですみ、交換部分をコンパクト化でき、輸送梱包の便に優れた分離型スロットマシンを提供することができる。
【００９５】
（請求項５）
請求項５記載の発明によれば、上記した請求項４記載の発明の効果に加え、次のような効果を奏する。
すなわち、請求項５記載の発明によれば、交換部分の取り付け取り外しの手間がかからない分離型スロットマシンを提供することができる。
【００９６】
（請求項６）
請求項６記載の発明によれば、上記した請求項４又は５記載の発明の効果に加え、次のような効果を奏する。
すなわち、請求項６記載の発明によれば、扉の段階的開閉角度を、筐体内部に収納されている部品の性質に応じたものとすることができる。
【００９７】
（請求項７）
請求項７記載の発明によれば、上記した請求項４至６のいずれか１項に記載の発明の効果に加え、次のような効果を奏する。
すなわち、請求項７記載の発明によれば、上扉と下扉とで構成の異なる前扉開閉調節手段を設けることにより、上下扉の各性質に適合した扉の段階的開閉を可能とすることができる。
【図面の簡単な説明】
【図１】
本発明の実施の形態であって、分離型スロットマシンの分解斜視図である。
【図２】
本発明の実施の形態であって、分離型スロットマシンの、本体から前扉３を外した分解斜視図である。
【図３】
本発明の実施の形態であって、上扉係合部及び上扉開閉調節手段を示す斜視図である。
【図４】
本発明の実施の形態であって、閉扉時の上扉係合部及び上扉開閉調節手段を示す横断面図である。
【図５】
本発明の実施の形態であって、上扉を４５度開いた時の上扉係合部及び上扉開閉調節手段を示す横断面図である。
【図６】
本発明の実施の形態であって、上扉を９０度開いた時の上扉係合部及び上扉開閉調節手段を示す横断面図である。
【図７】
本発明の他の実施の形態であって、上扉開閉調節手段の拡大図である。
【図８】
本発明の他の実施の形態であって、下扉開閉調節手段を示す斜視図である。
【図９】
本発明の他の実施の形態であって、閉扉時の下扉開閉調節手段を示す横断面図である。
【図１０】
本発明の他の実施の形態であって、下扉を６０度開いた時の下扉開閉調節手段を示す横断面図である。
【図１１】
本発明の他の実施の形態であって、下扉を９０度開いた時の下扉開閉調節手段を示す横断面図である。
【符号の説明】
Ｓ  分離型スロットマシン            １  本体キャビネット
２  交換ユニット                    ３  前扉
４  電源ユニット                    ５  ホッパーユニット
６  係合部                          ７  ロック機構
８  前扉開閉調節手段
10  固定装置                        11  開口部
12  中板                            13  開口上部
14  開口下部                        15  底板
16  側板
20  リールユニット                  21  支持体
23  回転リール                      24  基板ユニット
30  上扉                            31  図柄表示窓
32  表示部                          33  飾り部
40  下扉                            41  操作部
42  メダル投入口                    43  メダル受け皿
44  鍵穴                            48  メダルセレクター
49  スピーカ
50  係合部取り付け部材              51  孔
52  スリット                        53  受け部
55  係合部取り付け部材
60  本体係合部                      61  上部係合部
62  下部係合部                      63  上扉係合部
64  下扉係合部                      65  張り出し部
66  張り出し部                      67  係合ピン
68  ピン孔
70  上扉開閉調節手段                71  本体側開閉調節手段
72  扉側開閉調節手段                73  平面部
74  係止部材
80  下扉開閉調節手段                81  本体側開閉調節手段
82  扉側開閉調節手段                83  張り出し部
84  第一係止部                      85  第二係止部
100 店操作部